(57)【要約】【課題】引出し操作の際に、収納箱体が前板に対して相対移動したり、収納箱体が前板に衝突したりすることを防止できる両引き引出し構造を提供すること。【解決手段】引出し本体７は、収納箱体８と、正面側前板９と、背面側前板とを有し、いずれか一方の前板９が外方に引き出されたときには、その前板９と収納箱体８とが連結状態となる両引き引出し構造であって、収納箱体８に設けた被係合部７９に、前板９の引出し操作に応じて係合して前板９と収納箱体８とを連結状態とする係合部６１が、支持レール１９に設けられるとともに、被係合部７９と当接する規制部６３を備え、規制部６３は、退避位置から当接位置まで可動して被係合部７９に当接し、前板９と収納箱体８との前後方向の相対移動を規制する。【選択図】図１１
2007195623.tif 000002
【特許請求の範囲】
【請求項１】
引出し本体は、収納箱体と、正面側前板と、背面側前板とを有し、前記両前板は収納庫内の側板に設けた固定レール体に摺動自在の支持レールにそれぞれ固着されており、両前板のいずれか一方の前板が外方に引き出されたときには、その前板と収納箱体とが連結状態となり、かつ他方の前板と収納箱体とが分離状態となる両引き引出し構造であって、
前記収納箱体に設けた被係合部に、前記前板の引出し操作に応じて係合して前記前板と前記収納箱体とを連結状態とする係合部が、前記前板または前記支持レールに設けられるとともに、前記被係合部と当接する当接位置と、該当接位置から退避した退避位置と、の間で可動自在に設けられた規制部を備え、該規制部は、前記退避位置から前記当接位置まで可動して前記被係合部に当接し、前記前板と前記収納箱体との前後方向の相対移動を規制することを特徴とする両引き引出し構造。
【請求項２】
前記規制部は、前記収納箱体の収納時において、引き出されている前板と収納箱体との連結状態が解除される前に前記被係合部から離脱することを特徴とする請求項１に記載の両引き引出し構造。
【請求項３】
前記被係合部が、前記収納箱体に設けられた被係合凸部で構成されるとともに、前記規制部の当接位置が、前記被係合凸部を挟んで前記係合部と対向する対向位置に配置され、前記前板と前記収納箱体とが連結状態であるときに、前記被係合凸部が前記係合部と前記規制部とに前後側から挟持されることを特徴とする請求項１または２に記載の両引き引出し構造。
【請求項４】
前記係合部が、前記前板または前記支持レールに回動自在に設けられた回動レバーに形成されるとともに、前記規制部が、該回動レバーに回動自在に設けられた規制部材に形成され、前記回動レバー及び前記規制部材には、前記固定レール体に設けられた被係止部に係止可能な係止部がそれぞれ形成されており、前記回動レバーの係止部が前記被係止部に係止されることで、該回動レバーが回転して前記係合部が前記被係合部から離脱し、前記規制部材の係止部が前記被係止部に係止されることで、前記規制部が前記当接位置から前記退避位置に退避することを特徴とする請求項１ないし３のいずれかに記載の両引き引出し構造。
【請求項５】
前記回動レバーの係止部及び前記規制部材の係止部は、前後方向に重畳して配置されるとともに、前記回動レバーの係止部は、前記規制部材の係止部を介して前記被係止部に対して間接的に係止されることを特徴とする請求項４に記載の両引き引出し構造。
【請求項６】
前記規制部は、バネ部材によって前記当接位置に向けて付勢されていることを特徴とする請求項１ないし５のいずれかに記載の両引き引出し構造。
【発明の詳細な説明】
【技術分野】
【０００１】
本発明は、引出し本体を収納庫の正面側からも背面側からも引き出すことができる双方向に引き出し自在な両引き引出し構造に関する。
【背景技術】
【０００２】
両引き引出しは、例えば特許文献１に記載されているように、主婦がキッチン側で調理を終えハッチカウンタ上で盛り付けを行った後、ダイニング側に移動してダイニング側から引出しを開けその内に収納してある所望のスプーン、フォーク等の食器具等を取り出してダイニングテーブル上にて配膳し、その後、ダイニングテーブル上の使用済み食器等をハッチカウンタ上に片付け、キッチン側に移動して使用済み食器の洗浄を行い、キッチン側から引出しを開けてその洗浄した食器具等を引出し内に速やかに収納することができるので便利である。
【０００３】
しかし、特許文献１に記載の両引き引出し構造では、引出しを一方側から引き出すと他方側には凹み空間が形成されるので、体裁が悪いばかりでなく、引き出す度に気になり、しかもその凹み空間にゴミ等が入り込み易くなっている。そこで本出願人は、特許文献２に記載されているように、一方の前板が収納箱体とともに連結状態となって外方に引き出されても、引出しの反対側は他方の前板で塞ぐことができる両引き引出し構造を開発し、既に特許出願している。
【０００４】
また、特許文献３に記載の両面引出し（両引き引出し構造）のように、化粧板（前板）の下部に、ツル巻バネによって回動付勢された係合装置としてのフックを設けるとともに、このフックに係合可能な係合ピンを引出し本体（収納箱体）に突設させ、フックが係合ピンに係合されることで、化粧板（前板）と引出し本体（収納箱体）とを連結状態にしているものもある。
【０００５】
【特許文献１】特開平５−２７７０１７号公報（第２頁、図１）
【特許文献２】特開２００４−１８８１１０号公報（第５頁、図３）
【特許文献３】特開２００４−８１７５８号公報（段落００１７〜００２１、図１〜８）
【発明の開示】
【発明が解決しようとする課題】
【０００６】
しかしながら、前記特許文献２に記載の両引き引出し構造において、使用者が前板を早く引き出してしまうと、嵌合部（係合部）が嵌合溝（被係合部）に嵌合されない状態で、前板が引き出されてしまう連結作動体（回動レバー）の作動不良が生じるため、この作動不良を低減させるために、連結作動体若しくは嵌合溝に遊び（例えば嵌合溝の前後幅を嵌合部の前後幅よりも大きく形成すること）を持たせて引出し本体を製造することがあり、この遊びがあることによって、収納箱体を引き出した状態において、前板に対して収納箱体が前後方向に相対移動する（がたつく）ばかりか、例えば収納箱体を収納する際において前板が収納箱体に衝突してしまうといった問題があった。
【０００７】
また、前記特許文献３に記載の両面引出し（両引き引出し構造）にあっては、フックが係合ピンに係合されることで、化粧板（前板）と引出し本体（収納箱体）とを連結状態にしているので、引出し本体（収納箱体）が化粧板（前板）から離れる方向に対しての相対移動は規制されているが、フックにおける係合部手前側に傾斜面（引出し方向に対して斜め方向を向く面）が形成されていることにより、ツル巻バネの付勢力が弱いと、使用者が化粧板（前板）を押圧して引出し本体（収納箱体）を収納する際に、ツル巻バネの付勢力に抗してフックが回動して係合ピンから離脱してしまうことがあり、これにより引出し本体と化粧板とが相対移動してがたつくことがあるばかりか、ツル巻バネの付勢力を強めると、収納時において化粧板が引出し本体に対して離間してしまう虞があった。
【０００８】
本発明は、このような問題点に着目してなされたもので、引出し操作の際に、収納箱体が前板に対して相対移動したり、収納箱体が前板に衝突したりすることを防止できる両引き引出し構造を提供することを目的とする。
【課題を解決するための手段】
【０００９】
前記課題を解決するために、本発明の請求項１に記載の両引き引出し構造は、
引出し本体は、収納箱体と、正面側前板と、背面側前板とを有し、前記両前板は収納庫内の側板に設けた固定レール体に摺動自在の支持レールにそれぞれ固着されており、両前板のいずれか一方の前板が外方に引き出されたときには、その前板と収納箱体とが連結状態となり、かつ他方の前板と収納箱体とが分離状態となる両引き引出し構造であって、
前記収納箱体に設けた被係合部に、前記前板の引出し操作に応じて係合して前記前板と前記収納箱体とを連結状態とする係合部が、前記前板または前記支持レールに設けられるとともに、前記被係合部と当接する当接位置と、該当接位置から退避した退避位置と、の間で可動自在に設けられた規制部を備え、該規制部は、前記退避位置から前記当接位置まで可動して前記被係合部に当接し、前記前板と前記収納箱体との前後方向の相対移動を規制することを特徴としている。
この特徴によれば、収納庫の正面側または背面側のいずれか一方側の前板を掴んで収納箱体を引き出すと、係合部が被係合部に係合して前板と収納箱体とが連結状態になるとともに、前板を収納箱体に連結させる際における係合部の被係合部への係合を確実に行わせるために、該係合部と被係合部との間に設けられた遊びによって生じる前板と収納箱体との前後方向の相対移動（がたつき）が、規制部が被係合部に当接することで規制されるとともに、係合部の被係合部への係合の際に規制部が干渉することがないので、前板と収納箱体との連結が確実に行われる。また、規制部は、前板と収納箱体との連結に用いられる被係合部に直接当接して相対移動を規制するため、部品点数が低減するばかりか、係合部と規制部との連動精度を出しやすくなるので、製造が容易になる。
【００１０】
本発明の請求項２に記載の両引き引出し構造は、請求項１に記載の両引き引出し構造であって、
前記規制部は、前記収納箱体の収納時において、引き出されている前板と収納箱体との連結状態が解除される前に前記被係合部から離脱することを特徴としている。
この特徴によれば、規制部による被係合部との当接状態が解除されてから前板と収納箱体の連結状態が解除、つまり係合部の被係合部からの離脱が行われるので、規制部と被係合部との当接が、連結状態の解除に支障をきたすことがない。
【００１１】
本発明の請求項３に記載の両引き引出し構造は、請求項１または２に記載の両引き引出し構造であって、
前記被係合部が、前記収納箱体に設けられた被係合凸部で構成されるとともに、前記規制部の当接位置が、前記被係合凸部を挟んで前記係合部と対向する対向位置に配置され、前記前板と前記収納箱体とが連結状態であるときに、前記被係合凸部が前記係合部と前記規制部とに前後側から挟持されることを特徴としている。
この特徴によれば、前板と収納箱体とが連結状態であるときに、収納箱体に設けられた被係合凸部が、前後側、つまり引出し本体の引出し方向の両側から係合部と規制部とで挟持されるので、前板と収納箱体との相対移動（がたつき）が確実に規制される。
【００１２】
本発明の請求項４に記載の両引き引出し構造は、請求項１ないし３のいずれかに記載の両引き引出し構造であって、
前記係合部が、前記前板または前記支持レールに回動自在に設けられた回動レバーに形成されるとともに、前記規制部が、該回動レバーに回動自在に設けられた規制部材に形成され、前記回動レバー及び前記規制部材には、前記固定レール体に設けられた被係止部に係止可能な係止部がそれぞれ形成されており、前記回動レバーの係止部が前記被係止部に係止されることで、該回動レバーが回転して前記係合部が前記被係合部から離脱し、前記規制部材の係止部が前記被係止部に係止されることで、前記規制部が前記当接位置から前記退避位置に退避することを特徴としている。
この特徴によれば、回動レバーに規制部材を設けることで、被係合部に対する規制部の当接位置を、同じ回動レバーに形成された係合部の配置位置に対応させて正確に設けることができるため、連結状態における前後方向のがたつきが効果的に防止されるばかりか、固定レールに設けられた同一の被係止部に回動レバー及び規制部材の係止部を係止させることで、回動レバー及び規制部材を簡単に回動させることができるので、両引き引出し構造の部品点数が低減され、両引き引出し構造の製造コストの低減が達成される。
【００１３】
本発明の請求項５に記載の両引き引出し構造は、請求項４に記載の両引き引出し構造であって、
前記回動レバーの係止部及び前記規制部材の係止部は、前後方向に重畳して配置されるとともに、前記回動レバーの係止部は、前記規制部材の係止部を介して前記被係止部に対して間接的に係止されることを特徴としている。
この特徴によれば、回動レバーの係止部の係止位置と、規制部材の係止部の係止位置とが前後方向に異なることになり、引出し本体を引き出すと、回動レバーの係止部が規制部材の係止部から離脱した後に規制部材の係止部が被係止部から離脱するとともに、引出し本体を収納すると、規制部材の係止部が被係止部に係止した後に回動レバーの係止部が規制部材の係止部に係止されることになるので、前板及び収納箱体の連結と規制部による規制とのタイミング、並びにこれら連結解除と規制解除とのタイミングを、簡単な構造でずらすことができるため、連結や規制及びこれらの解除がそれぞれ確実に行われる。
【００１４】
本発明の請求項６に記載の両引き引出し構造は、請求項１ないし５のいずれかに記載の両引き引出し構造であって、
前記規制部は、バネ部材によって前記当接位置に向けて付勢されていることを特徴としている。
この特徴によれば、規制部の退避位置から当接位置への移動をバネ部材によって確実に行うことができるので、規制部による規制の作動不良が低減される。
【発明を実施するための最良の形態】
【００１５】
本発明に係る両引き引出し構造を実施するための最良の形態を実施例に基づいて以下に説明する。
【実施例１】
【００１６】
本発明の実施例を図面に基づいて説明すると、先ず図１は、本発明の実施例１における両引き引出し構造を備えた収納庫としてのキッチン台を示す斜視図である。図１の符号１は、本発明の両引き引出し構造が適用されたキッチン台１であり、このキッチン台１は、システムキッチンなどにおけるキッチンとダイニングの間に設置されるようになっている。
【００１７】
図１に示すように、このキッチン台１は左右に脚体２、３が配置され、この脚体２、３の上部には、蛇口４やシンク５等が設けられた天板６が配置されており、キッチン台１の正面側はキッチンに向き、背面側はダイニングに向くようになっている。また、食器等を収納できるように、本実施例における引出し本体としての両引き引出し７を備えており、この両引き引出し７は、正面側及び背面側の何れか一方向に引き出せる収納箱体８を有している。
【００１８】
更に、この両引き引出し７には、収納箱体８と別体の２枚の前板９、１０が正面側と背面側とに設けられており、正面側の前板９を引き出せば収納箱体８は連動して正面側の外方に引き出され、背面側の前板１０を引き出せば背面側に引き出せるので、使用者がキッチン台１を周り込んで移動することなく、キッチン及びダイニングのどちらからでも収納箱体８内の食器等の収納物を取り出すことができるようになっている。
【００１９】
次に、両引き引出し７の具体的構造について図２に基づいて説明すると、図２は、両引き引出し７を示す斜視図であり、以下、図２の紙面左斜め上側を両引き引出し構造の正面側（前方側）、紙面右斜め下側を両引き引出し構造の背面側（後方側）として説明する。
【００２０】
図２に示すように、収納箱体８を挟んで正面側に前板９、背面側に前板１０が配置されており、収納箱体８の左右の両側部には、４つの固定レール体１１、１２、１３、１４が配置され、それぞれの固定レール体１１、１２、１３、１４には、摺動体１５、１６、１７、１８を介して全引き出し（フルエクステンション）可能な支持レール１９、２０、２１、２２が伸縮自在に取り付けられている。
【００２１】
正面側の前板９を支持する左右一対の支持レール１９、２１の外方側の端部には、連結部２３、２５がそれぞれ設けられているとともに、背面側の前板１０を支持する左右一対の支持レール２０、２２の外方側の端部には、連結部２４、２６がそれぞれ設けられている。一方、前板９の裏面における左右端部近傍には、前記連結部２３が連結される取付体３２及び前記連結部２５が連結される取付体３１が固着されているとともに、前板１０の裏面における左右端部近傍には、前記連結部２４が連結される取付体３３及び前記連結部２６が連結される取付体（図示略）が固着されている（図３参照）。
【００２２】
そして、支持レール１９、２１の連結部２３、２５が、前板９の取付体３１、３２に連結されることで、前板９が支持レール１９、２１に固定されるとともに、支持レール２０、２２の連結部２４、２６が、前板１０の取付体３３に連結されることで、前板１０が支持レール２０、２２に固定されている。
【００２３】
更に、正面側の前板９に固定された左右一対の水平な支持レール１９、２１と、背面側の前板１０に固定された左右一対の水平な支持レール２０、２２とが上下に重畳して配置されている。また、それぞれの前板９、１０の上辺には、引出し７を開放させる際に、使用者が掴むことができる横長の把手３４、３５が、前板９、１０の長手方向に沿って設けられている。
【００２４】
そして収納箱体８の左右の両側部には、４つのメインローラー５１、５２、５３、５４と、４つの補助ローラー５５、５６、５７、５８が取り付けられ、図２に示すように、収納箱体８が背面側に引き出された状態では、収納箱体８の上方に配置されているメインローラー５２、５４と補助ローラー５６、５８を介して、収納箱体８が上方の支持レール２０、２２上に載置されている。複数のローラーを用いて収納箱体８が支持レール１９、２０、２１、２２上に載置されることで、収納箱体８が動き易くなっている。
【００２５】
更に、両引き引出し７の具体的構造について詳述すると、図３は、両引き引出し７を示す縦断側面図であり、図４は、図３におけるＡ−Ａ縦断面図であり、図５は、回動レバー２７と係合ピン７９を示す側面図であり、図６は、引出し７が引き出されたときの側面図であり、図７は、正面側に引出し７が引き出されたときの縦断側面図であり、図８は、背面側に引出し７が引き出されたときの縦断側面図であり、図９は、前板９と収納箱体８が分離状態にあるときの回動レバー２７を示す側面図であり、図１０は、第１係合片６１が係合ピン７９に係合された状態を示す側面図であり、図１１は、第２係合片６３が突出された状態を示す側面図であり、図１１は、前板９と収納箱体８が連結状態にあるときの回動レバー２７を示す側面図である。以下、図３から図１１の紙面左側を両引き引出し構造の正面側（前方側）、紙面右側を両引き引出し構造の背面側（後方側）として説明する。
【００２６】
図３に示すように、下方の支持レール１９に対応したメインローラー５１と補助ローラー５５はそれぞれ同じ高さの枢軸８１、８２に軸支されるとともに、上方の支持レール２０に対応したメインローラー５２と補助ローラー５６はそれぞれ同じ高さの枢軸８３、８４に軸支されている。また、支持レール１９、２０の内方側の端部（自由端部）には、後述するように引出し７を出し入れする際に、メインローラー５１、５２、５３、５４及び補助ローラー５５、５６、５７、５８が支持レール１９、２０に乗り上げ易くするために設けられた傾斜部材４４、４５が取り付けられている。
【００２７】
更に、図３に示すそれぞれの固定レール体１１、１２、１３、１４の内側部には、エアダンパー３６、３７、３８、３９が固着されており、それぞれの支持レール１９、２０の略中央部には、エアダンパー３６、３７に立設された当接片４０、４１に当接できるように当接部４２、４３が設けられている。
【００２８】
図４に示すように、この固定レール体１１、１２は、断面が略Ｌ字状に形成され、ネジ（図示略）によりキッチン台１の板材７５に固着され、上下の支持レール１９、２０は断面が略Ｃ字状をなし、摺動体１５、１６を介して固定レール体１１、１２と連結されるとともに、支持レール１９、２０及び固定レール体１１、１２と、摺動体１５、１６との間には、摺動抵抗を低減させるボール７６が複数配置されている。収納箱体８の両側部には、上下２段の断面視で略コ字形状をなす隠蔽片７７、７８が形成されている。この隠蔽片７７、７８の内部に、上下の支持レール１９、２０及び摺動体１５、１６が配置される。
【００２９】
支持レール１９、２０、２１、２２の端部に取り付けられた連結部２３、２４、２５、２６内側部には、回動レバー２７、２８、２９、３０が枢軸５９、６０を軸として垂直方向に回動自在に支承されている（図２参照）。両引き引出し７の左右両側に設けられている回動レバー２７、２８、２９、３０は同一構成なので、片方側に設けられている回動レバー２７、２８について詳述すると、図３に示す回動レバー２７、２８の内方側の端部には、本実施例における係合部としての第１係合片６１、６２が上方に延設されている。
【００３０】
また、図３に示すように、回動レバー２７、２８の下方側の端部には、係止部６７、６８が形成され、前板９、１０が閉められた状態では、この回動レバー２７、２８の係止部６７、６８が、固定レール体１１、１２に固着された本実施例における被係止部としての係止片６９、７０に係止されるようになっている。この状態では、正面側及び背面側双方の回動レバー２７、２８が、第１係合片６１、６２が後述する係合ピン７９、８０から外れる方向に回動されており、回動レバー２７、２８は収納箱体８との分離状態を維持することができ、収納箱体８は収納位置に配置されるようになる。
【００３１】
更に、枢軸５９、６０を境に、回動レバー２７、２８の外方側の重さは、回動レバー２７、２８の内方側の重さよりも重くなるように形成され、前板９、１０が引き出されたときに、固定レール体１１、１２の係止片６９、７０から回動レバー２７、２８の係止部６７、６８が離れ、回動レバー２７、２８は、自重によって内方側の端部が上方に回動されるようになっている。
【００３２】
尚、回動レバー２７、２８の枢軸５９、６０には、付加的に巻きバネ（図示略）を設けるようにしてもよい。巻きバネ（図示略）を設けた場合には、自重による回動と巻きバネ（図示略）の回動付勢によって、回動レバー２７、２８の作動不良を極力低減できるようになる。
【００３３】
また、回動レバー２７、２８の外方側には、案内部７１、７２が形成されており、この案内部７１、７２は上下に凸部７２ａ、７２ｂが形成され（図９参照）、連結部２３、２４に固定されたガイドピン７３、７４が凸部７２ａ、７２ｂの間に配置されることで、回動レバー２７、２８の回動が所定範囲で規制されるようになっている。
【００３４】
そして、図３及び図９に示すように、収納箱体８の側部には、本実施例における被係合部及び被係合凸部としての係合ピン７９、８０が設けられており、この係合ピン７９、８０は第１係合片６１、６２に係合できるように、収納箱体８から側方に突出された略円筒形状をなしている。
【００３５】
図３に示す回動レバー２７、２８における第１係合片６１、６２に近接した位置には、本実施例における規制部材としての可動ユニット４６、４７が取り付けられている。正面側と背面側の回動レバー２７、２８に設けられた可動ユニット４６、４７は同一構成なので、正面側に設けられた回動レバー２７の可動ユニット４６について詳述すると、図９に示すように、可動ユニット４６は、回動レバー２７に設けられた枢軸４８に回動可能に支承されており、この枢軸４８には、可動ユニット４６を上方側に回動付勢するための本実施例におけるバネ部材としての巻きバネ４９が設けられている。
【００３６】
また、可動ユニット４６、４７の上部側には、本実施例における規制部としての第２係合片６３、６４が形成されている。可動ユニット４６、４７の下部側には、下方に延設されて略フック形状をなす係止部６５、６６が形成されている（図３参照）。この係止部６５は、回動レバー２７の係止部６７の後方側（内方側）に、前後方向に重畳されるように配置され、固定レール体１１に設けられた係止片６９に係止されるようになっている。尚、回動レバー２７の係止部６７は、可動ユニット４６の係止部６５を介して間接的に係止片６９に係止され、回動レバー２７の係止部６７及び可動ユニット４６の係止部６５が、係止片６９に係止された状態では、第２係合片６３が回動レバー２７側に没入されている（図９参照）。
【００３７】
尚、図９及び図１０に示すように、可動ユニット４６の第２係合片６３が、回動レバー２７側に没入されている状態が、本実施例において被係合部から規制部が退避された退避位置となっており、図１１に示すように、可動ユニット４６の第２係合片６３が、回動レバー２７から突出されている状態が、本実施例において被係合部に規制部が当接される当接位置となっている。可動ユニット４６の係止部６５は、後述するように当接位置と退避位置との間で可動自在に設けられている。
【００３８】
図１１に示すように、可動ユニット４６の係止部６５が係止片６９から離れると、巻きバネ４９の付勢力によって可動ユニット４６が上方側に回動され、第２係合片６３は、回動レバー２７における第１係合片６１よりも外方側（前方側）に突出され、当接位置に切り換わるようになっている。
【００３９】
次に、両引き引出し７の使用例について詳述すると、収納箱体８が収納位置にあるときには、図３及び図９に示すように、可動ユニット４６、４７の係止部６５、６６は、回動レバー２７、２８の係止部６７、６８とともに係止片６９、７０に係止されており、可動ユニット４６、４７が回動されることなく、第２係合片６３、６４は没入された退避位置となっている。
【００４０】
使用者が正面側の前板９の把手３４を掴んで正面方向（前板側）に手前に引くと、図５及び図１０に示すように、前板９を支持する支持レール１９の移動とともに、回動レバー２７が前方側（外方側）に移動し、固定レール体１１の係止片６９が回動レバー２７の係止部６７を係止させる力が弱まり、回動レバー２７が枢軸５９を中心に回転されて、第１係合片６１が内方側（一方側）から係合ピン７９に係合される。この状態では可動ユニット４６の係止部６５は係止片６９に係止された退避位置に位置する状態であり、第２係合片６３は没入されている。そのため第１係合片６１は第２係合片６３に邪魔されることなく係合ピン７９に係合することができ、前板９と収納箱体８が連結状態になる。
【００４１】
尚、前板９と収納箱体８との連結状態とは、前板９と収納箱体８が直接連結されるのみならず、本実施例のように前板９と収納箱体８とが支持レール１９を介して互いに連動して移動できるように連結された状態をも示している。
【００４２】
また、収納箱体８と前板９との連結時に、第２係合片６３は没入されているため、係合ピン７９の外方側（他方側）に、係合ピン７９が移動できる空間（ゆとり）が生じており、回動レバー２７及び第１係合片６１の作動不良が低減されるようになっている。
【００４３】
更に前板９を引き出すと、図６及び図１１に示すように、回動レバー２７の係止部６７及び可動ユニット４６の係止部６５が、固定レール体１１の係止片６９から離れ、可動ユニット４６が巻きバネ４９の付勢力により回動されて第２係合片６３が上方に突出されて、当接位置に切り換わり、第２係合片６３が外方側（他方側）から係合ピン７９に係合される。このとき係合ピン７９を挟んで第１係合片６１と第２係合片６３とは対向位置に配置されている。
【００４４】
このように第２係合片６３は、第１係合片６１の係合ピン７９への係合に応じて退避位置から当接位置まで可動して係合ピン７９に当接し、前板９と収納箱体８との前後方向の相対移動を規制するようになっており、収納箱体８が引き出された際に、収納箱体８に設けられた係合ピン７９は、第１係合片６１及び第２係合片６３の間に前後方向から挟持されるので、収納箱体８に生じる連結された前板９に対する前後方向の相対的な微動（がたつき）が規制される。そして、引き出された前板９と収納箱体８とが連結状態になっているので、前板９の移動とともに収納箱体８が正面側の外方（前板側）に引き出されるようになっている。
【００４５】
尚、図１１に示すように、第１係合片６１の先端部は、係合ピン７９側に傾けられるように若干傾斜されており、そのため第１係合片６１が係合ピン７９から外れることを防ぐことができ、引出し操作の際に第１係合片６１と係合ピン７９とが係合状態を維持できる。また、第２係合片６３が、巻きバネ４９によって突出方向に付勢されていることで、第２係合片６３の突出を確実に行えるようになるので、可動ユニット４６の作動不良が低減される。
【００４６】
図７に示すように、正面側の前板９と収納箱体８が引き出された際には、背面側の前板１０は、収納箱体８と分離状態になり、収納箱体８と連動せず残るため、この前板１０でキッチン台１の背面側を塞ぐことができ、キッチン台１の背面側に凹みをつくらずに体裁が良くなるばかりか、正面側の引き出し操作に違和感がない。かつゴミ等の侵入を防ぐことができるようになっている。
【００４７】
背面側の前板１０の把手３５を背面方向（前板側）に引いた際には、図８に示すように、上方の支持レール２０に設けられている背面側の回動レバー２８が作動し、背面側の前板１０と収納箱体８が連結状態になって背面方向（前板側）に引き出すことができる。このときも前記可動ユニット４６と同様に、可動ユニット４７が回動され、収納箱体８に設けられた係合ピン８０が、第１係合片６２と第２係合片６４との間に挟持され、収納箱体８に生じる連結された背面側の前板１０に対する前後方向の相対移動（がたつき）が規制される。
【００４８】
次に、収納箱体８が収納されるときの両引き引出し７について説明すると、引出し７が引き出された状態において、使用者が正面側の前板９の把手３４を収納方向に向けて押すと、収納箱体８の係合ピン７９と回動レバー２７が連結状態で、前板９とともに収納箱体８が収納方向へ移動されるようになる。このとき、第２係合片６３が係合ピン７９を押圧するとともに、第１係合片６１と第２係合片６３により前板９と収納箱体８との前後方向の相対移動が規制されていることで、収納箱体８ががたつかない（相対移動しない）ようになっているばかりか、収納箱体８が前板９に近づく方向に移動され、収納箱体８が前板９に衝突することも防止されている。
【００４９】
そして、回動レバー２７と係合ピン７９との分離位置の近傍で、下方の支持レール１９に設けられた当接部４２がエアダンパー３６に形成された当接片４０に当接され、エアダンパー３６の付勢力によって前板９、支持レール１９、及び収納箱体８の移動速度が共に減速される。このときに係合ピン７９は第２係合片６３による規制により第１係合片６１に係合（当接）された状態を維持しており、減速時において収納箱体８が前板９の速度よりも早く収納方向に移動してしまい、収納箱体８が前後方向に相対移動（がたつく）することを防げるようになっている。
【００５０】
図１０に示すように、収納箱体８の減速後に、可動ユニット４６の係止部６５が係止片６９に係止されて可動ユニット４６が回動し、第２係合片６３が下方側に没入される。すると、係合ピン７９の外方側（他方側）に、係合ピン７９が移動できる空間（ゆとり）が形成される。その後、回動レバー２７の係止部６７が、可動ユニット４６の係止部６５を介して係止片６９に係止され、回動レバー２７が回動して第１係合片６１が係合ピン７９から離れ、収納箱体８と前板９との連結状態が解除される。
【００５１】
このように第２係合片６３による収納箱体８の前後方向の相対移動（がたつき）の規制を解除してから前板９と収納箱体８の連結状態の解除が行われるので、第１係合片６１と係合ピン７９との間に空間（ゆとり）が生じるようになり、回動レバー２７及び第１係合片６１の作動不良が低減されて連結状態の解除が確実に行われる。
【００５２】
以上、本実施例によれば、前板９と収納箱体８とが連結状態になるのに応じて、第１係合片６１と第２係合片６３が係合ピン７９に係合され、収納箱体８に生じる連結された前板９に対する相対移動（がたつき）が規制されるため、収納箱体８が相対移動したり（がたついたり）、収納箱体８が前板９に衝突したりすることを防止できる。
【００５３】
また、係合ピン７９に直に第２係合片６３が係合されるため、前板９を収納箱体８に連結させるときに、第１係合片６１の作動不良を低減させるために回動レバー２７の第１係合片６１の外方側（前方側）に設けた空間（ゆとり）によって生じる収納箱体８の相対移動（がたつき）を直接的に規制できる。第１係合片６１と係合ピン７９との連動精度を出しやすくなるので、係合ピン７９、回動レバー２７及び第１係合片６１の形状に応じて精度よく可動ユニット４６及び第２係合片６３を形成することが可能になる。
【００５４】
更に、回動レバー２７に可動ユニット４６が直接取り付けられていることで、両引き引出し７において、可動ユニット４６を配置する部位を回動レバー２７が配置される部位と兼用できるようになり、別途、回動レバー２７と可動ユニット４６とを連動させるリンク部材等を設ける必要がなくなり、両引き引出し７の部品点数が低減されるので、両引き引出し構造の製造コストが低減される。また、キッチン台１を製造する際に、予め回動レバー２７と可動ユニット４６とを支持レール１９に取り付けておくことができ、回動レバー２７と可動ユニット４６の取付作業が容易になる。
【００５５】
また、第２係合片６３が係合ピン７９に当接することで規制されるとともに、第１係合片６１の係合ピン７９への係合の際に、第２係合片６３が干渉することがないので、前板９と収納箱体８との連結が確実に行われる。
【００５６】
尚、本実施例における収納箱体８に生じる連結された前板９に対する相対移動（がたつき）とは、両引き引出し構造の設計者が設計時に意図的に設ける空間（遊び、ゆとり）によって生じる相対移動（がたつき）のみならず、係合ピン７９、回動レバー２７及び第１係合片６１の製造時に発生する製作誤差等によって収納箱体８に生じる相対移動（がたつき）をも含む。
【００５７】
また、回動レバー２７に回動可能に支承された可動ユニット４６という簡素な構成で、第２係合片６３の突出と没入という動作が実現でき、かつ１つの係止片６９に回動レバー２７と可動ユニット４６との両方を係止させて回動させることで、回動レバー２７と可動ユニット４６のそれぞれに対応した係止片６９を設ける必要が無くなり、両引き引出し７を製造するための部品点数が低減され、両引き引出し７の製造コストが低減される。
【００５８】
更に、可動ユニット４６の係止部６５が、回動レバー２７の係止部６７に重畳されて配置されているため、回動レバー２７の係止部６７の係止位置と、可動ユニット４６の係止部６５の係止位置とが前後方向に異なることになり、両引き引出し７を引き出すと、回動レバー２７の係止部６７が、可動ユニット４６の係止部６５から離脱した後に、可動ユニット４６の係止部６５が、係止片６９から離脱するとともに、両引き引出し７を収納すると、可動ユニット４６の係止部６５が係止片６９に係止した後に、回動レバー２７の係止部６７が可動ユニット４６の係止部６５係止されることになるので、前板９及び収納箱体８の連結と第２係合片６３による規制とのタイミング、並びにこれら連結解除と規制解除とのタイミングを、簡単な構造でずらすことができるため、連結や規制及びこれらの解除がそれぞれ確実に行われる。
【００５９】
更に、第１係合片６１が係合ピン７９から外れる直前まで、収納箱体８相対移動を防ぐことができ、かつ第１係合片６１と係合ピン７９との係合の解除も、第２係合片６３に邪魔されることなくスムーズに行える。
【００６０】
尚、回動レバー２７に可動ユニット４６を設けることで、係合ピン７９に対する第２係合片６３の当接位置を、同じ回動レバー２７に形成された第１係合片６１の配置位置に対応させて正確に設けることができるため、前板９と収納箱体８との連結状態における前後方向のがたつきが効果的に防止されるばかりか、固定レール１１に設けられた同一の係止片６９に回動レバー２７及び可動ユニット４６の係止部６５、６７を係止させることで、回動レバー２７及び可動ユニット４６を簡単に回動させることができるので、両引き引出し７の部品点数が低減され、両引き引出し７の製造コストの低減が達成される。
【実施例２】
【００６１】
次に、実施例２に係る両引き引出し構造につき、図１２及び図１３を参照して説明する。尚、前記実施例１に示される構成部分と同一構成部分に付いては同一符号を付して重複する説明を省略する。図１２は、実施例２における前板９と収納箱体８が分離状態にあるときの回動レバー２７’を示す側面図であり、図１３は、実施例２における前板９と収納箱体８が連結状態にあるときの回動レバー２７’を示す側面図である。
【００６２】
図１３に示すように、支持レール１９には、先端部に係合片６１’が形成された略フック形状をなす回動レバー２７’が設けられており、収納箱体８には、係合ピン７９が設けられており、係合片６１’における係合ピン７９に当接される側の形状は、係合ピン７９の外周と同形状をなし、係合片６１’は係合ピン７９の内方側（一方側）から遊び（ゆとり）の無い状態で当接できる。
【００６３】
また、回動レバー２７’には、傾斜部２７ａ（引出し方向（前後方向）に対して斜め方向を向く面）が形成されており、この傾斜部２７ａが形成されることで係合ピン７９の外方側（他方側）に遊び（ゆとり）が形成される。そのため係合ピン７９が係合片６１’に係合し易くなっているとともに、係合ピン７９が係合片６１’から外れ易くなっている。
【００６４】
また、図１３に示すように、支持レール１９における回動レバー２７’の近傍には、可動ユニット８５が設けられており、この可動ユニット８５には、支持レール１９の回動レバー２７’側（側方側）に突没自在に可動される規制部としての可動ピン８６が設けられている。可動ユニット８５の下部には、固定レール体１１の上部に設けられた解除部８８に当接できるように、下方側に突出された係止部８７が設けられている。
【００６５】
尚、可動ピン８６は常に可動ユニット８５内部に設けられたバネ部材（図示略）などにより突出方向に付勢されており、係止部８７が解除部８８によって押圧されることで、可動ピン８６が可動ユニット８５内に没入される機構となっている。
【００６６】
図１２に示すように、収納箱体８が収納位置にあるときには、回動レバー２７’は、係止部６７が係止片６９（被係止部）に係止され、係合片６１’が係合ピン７９から外れる方向に回動されているので、前板９と収納箱体８は分離状態となっている。このとき可動ユニット８５の係止部８７は解除部８８に係止されており、可動ピン８６は没入されている。
【００６７】
図１３に示すように、使用者が前板９を引き出すと、回動レバー２７’の係止部６７が係止片６９から離れ、回動レバー２７’が回動して係合片６１’が係合ピン７９に係合される。その後、支持レール１９の移動とともに可動ユニット８５の係止部８７が解除部８８から離れて可動ピン８６が突出される。可動ピン８６は回動レバー２７’の下方側に当接され、係合片６１’が係合ピン７９から外れる方向に回動レバー２７’が回動することを防止している。
【００６８】
そして、前板９と収納箱体８が連結状態になり、前板９の移動とともに収納箱体８が引き出されるようになっている。このとき回動レバー２７’は係合ピン７９と可動ピン８６との間で挟持されるようになっており、回動レバー２７’が上下に回動しないとともに、係合ピン７９が、前後方向に対して斜め方向を向く傾斜部２７ａに当接して前板の後方移動が規制されるため、引出し操作の際に係合片６１’と係合ピン７９との係合状態が維持され、収納箱体８に生じる連結された前板９に対する相対的な微動（がたつき）が規制される。
【００６９】
収納箱体８が収納されるときには、回動レバー２７’が可動ピン８６を押圧するとともに、係合ピン７９と可動ピン８６との間で挟持された回動レバー２７’が上下に回動（微動）しないようになっているため、前板９と収納箱体８との前後方向の相対移動が規制され、収納箱体８ががたつかない（相対移動しない）ようになっているばかりか、収納箱体８が前板９に近づく方向に移動され、収納箱体８が前板９に衝突することも防止されている。
【００７０】
そして、図１２に示すように、収納箱体８が収納位置近傍まで移動されると、可動ユニット８５の係止部８７が解除部８８に係止され、可動ユニット８５内部に可動ピン８６が没入される。そして、回動レバー２７’の係止部６７が係止片６９に係止されることで、回動レバー２７’の係合片６１’が係合ピン７９から外れる方向に回動され、前板９と収納箱体８とが分離状態となる。このとき、回動レバー２７’に傾斜部２７ａが形成されていることで、係合ピン７９がスムーズに回動レバー２７’及び係合片６１’から離れるようになっている。
【００７１】
以上、本発明の実施例を図面により説明してきたが、具体的な構成はこれら実施例に限られるものではなく、本発明の要旨を逸脱しない範囲における変更や追加があっても本発明に含まれる。
【００７２】
例えば、前記実施例では、本発明の両引き引出し構造は、システムキッチンなどに用いられるシンク等が設けられたキッチン台に適用されていたが、本発明はこれに限定されるものではなく、その他の家庭用の家具等に備えて使用してもよいし、オフィス等で使われる机や棚等の什器類に適用してもよい。
【００７３】
また、前記実施例では、回動レバー２７と係合部としての第１係合片６１が、支持レール１９の端部に取り付けられた前板９との連結部２３に取り付けられていたが、回動レバー２７及び第１係合片６１は、支持レール１９自体に設けてもよいし、前板９自体に設けるようにしてもよい。
【００７４】
更に、前記実施例では、可動ユニット４６が付勢手段としての巻きバネ４９によって回動される構成となっていたが、本発明はこれに限定されるものではなく、可動ユニット４６の下方側に重石を取り付けることで、可動ユニット４６が自重によって回動されるようにしてもよい。
【００７５】
尚、前記実施例では、規制部としての第２係合片６３が、係合部としての第１係合片６１が被係合部としての係合ピン７９に係合された直後に、可動し始めて当接位置に位置するようになっていたが、本発明にあっては、第２係合片６３の可動が開始されるタイミングが、第１係合片６１が係合ピン７９に係合された直後に限られるものではなく、第１係合片６１が係合ピン７９に係合された時点から所定時間経過後に、第２係合片６３が当接位置に位置するように可動を開始してもよいし、第１係合片６１の係合動作の開始とほぼ同時に、第２係合片６３が可動を開始し、係合後に当接位置に位置するものであってもよい。つまり、規制部としての第２係合片６３は、係合部としての第１係合片６１が被係合部としての係合ピン７９に係合された後に該係合ピン７９に当接するようになっていれば、その退避位置から当接位置への可動タイミングは前記実施例に記載のものに限定されるものではない。
【００７６】
更に尚、前記実施例では、収納箱体に設けられた係合ピンと第１係合片との間に生じる遊び（空間）を規制するために、規制部としての第２係合片が設けられていたが、本発明は、例えば、特許文献２に記載されているように、嵌合部（係合部）と嵌合溝（被係合部）で構成された連結構造に適用してもよく、嵌合部と嵌合溝との間に遊び（空間）を設け、その空間を埋めるように規制部が嵌合溝に嵌合されるようにしてもよい。
【図面の簡単な説明】
【００７７】
【図１】実施例１における両引き引出し構造を備えたキッチン台を示す斜視図である。
【図２】両引き引出しを示す斜視図である。
【図３】両引き引出しを示す縦断側面図である。
【図４】図３におけるＡ−Ａ縦断面図である。
【図５】回動レバーと係合ピンを示す側面図である。
【図６】引出しが引き出されたときの側面図である。
【図７】正面側に引出しが引き出されたときの縦断側面図である。
【図８】背面側に引出しが引き出されたときの縦断側面図である。
【図９】前板と収納箱体が分離状態にあるときの回動レバーを示す側面図である。
【図１０】第１係合片が係合ピンに係合された状態を示す側面図である。
【図１１】前板と収納箱体が連結状態にあるときの回動レバーを示す側面図である。
【図１２】実施例２における前板と収納箱体が分離状態にあるときの回動レバーを示す側面図である。
【図１３】実施例２における前板と収納箱体が連結状態にあるときの回動レバーを示す側面図である。
【符号の説明】
【００７８】
１                キッチン台（収納庫）
７                両引き引出し（引出し本体）
８                収納箱体
９、１０          前板
１１、１２        固定レール体
１３、１４        固定レール体
１９、２０        支持レール
２１、２２        支持レール
２７、２８        回動レバー
２９、３０        回動レバー
４６、４７        可動ユニット（規制部材）
４９              巻きバネ（バネ部材）
６１、６２        第１係合片（係合部）
６３、６４        第２係合片（規制部）
６５、６６        係止部
６７、６８        係止部
６９、７０        係止片（被係止部）
７５              板材（収納庫側板）
７９、８０        係合ピン（被係合部、被係合凸部）
【図１】
2007195623.tif 000003
【図２】
2007195623.tif 000004
【図３】
2007195623.tif 000005
【図４】
2007195623.tif 000006
【図５】
2007195623.tif 000007
【図６】
2007195623.tif 000008
【図７】
2007195623.tif 000009
【図８】
2007195623.tif 000010
【図９】
2007195623.tif 000011
【図１０】
2007195623.tif 000012
【図１１】
2007195623.tif 000013
【図１２】
2007195623.tif 000014
【図１３】
2007195623.tif 000015